(57)【特許請求の範囲】
【請求項１】
記録媒体に記録されたコンテンツ群からグループ化するコンテンツを選択する選択ステップと、前記選択ステップで選択されたコンテンツの集約タイトル名を付与する付与ステップと、前記付与ステップで付与された集約タイトル名を表示する集約タイトル表示ステップとを有し、
前記集約タイトル名は、前記選択ステップにおいて所定条件で設定されるコンテンツのタイトル名を採用することを特徴とする記録コンテンツ管理方法。
【請求項２】
前記集約タイトル表示ステップで表示された集約タイトル名をグループ解除する解除ステップと、前記解除ステップで解除された個々のコンテンツ単位でタイトル名を表示するコンテンツタイトル表示ステップとを有することを特徴とする請求項１記載の記録コンテンツ管理方法。
【請求項３】
前記集約タイトル表示ステップにおいて、前記選択ステップで選択されたコンテンツの記録時間の合計時間、或いは、前記選択ステップで選択されたコンテンツの最新記録されたコンテンツの「日付」を表示することを特徴とする請求項１記載の記録コンテンツ管理方法。
【発明の詳細な説明】
【０００１】
【発明の属する技術分野】
本発明は、情報管理方法、または記録再生装置に関するもので、記録されている複数のコンテコンテンツのタイトルを自由に集約し、また集約したコンテンツに代表コンテンツ名を付与出来ることで、一覧表上で利用者の嗜好に応じたライブラリ作成が可能にするものである。また、集約された映像コンテンツを連続して再生出来ることで一覧表での操作性向上を図ることが出来る。
【０００２】
【従来の技術】
現在、放送局から送信されたデジタル信号は、各端末では受信装置などで受信され、そしてその信号に含まれる情報はハードディスクなどの記録媒体に記録される。記録された情報はそのコンテンツのタイトル情報をグラフィカル・ユーザ・インターフェイス（以下、ＧＵＩと記す）を用いて表示する画面に一覧表示する技術が用いられている。
【０００３】
【発明が解決しようとする課題】
しかしながら、現在のところこの一覧表示画面はコンテンツが記録順に表示されており、例えば短いコンテンツを何十件も記録して表示させた場合には、所望のコンテンツを検索するにしても時間がかかり操作性・視認性が低下している。将来はディスクの増設、または個々のディスクの容量が増加するに従って記録される映像コンテンツ数も増加し、ますますこの操作性・視認性の低下は顕著になると思われる。
【０００４】
本発明はこれら操作性・視認性の向上を図り、記録済映像コンテンツの管理を容易に行えるようにするものである。
【０００５】
【課題解決するための手段】
上記の課題を解決する為に本発明は、ハードディスクなどの記録媒体に記録されたコンテンツのタイトル名を集約し、集約名を付与した後に一覧表示することを要旨とする情報管理方法に関するものであり、また集約されたタイトル名を選択して再生指示を行った時は、それに含まれる全ての記録済映像コンテンツを再生することを要旨とする記録再生装置である。
【０００６】
【発明の実施の形態】
以下、図面を参照しながら本発明の実施の形態を説明する。但し、以下は一実施例であり操作方法、ＧＵＩのデザイン等はこれに限定しない。
【０００７】
（実施の形態１）
最初に一覧表示画面においてタイトル名を集約する方法について図面を用いて説明する。図１は、本実施の形態における信号の流れを示す図であり、図２は、映像コンテンツに関する情報を表示している画面の一例を示したものであり、図２において「連続ドラマ  第一回」、「連続ドラマ  第ニ回」、「連続ドラマ  第三回」という「連続ドラマ」という番組の３つの記録済映像コンテンツが表示されている。例えばこれらを1つのグループとして集約したい時には、リモートコントロール手段（以下、リモコンと記す）のボタンを押下する等して、画面上の「Ｃ／Ｋ」欄２０１にチェックを付け、同じくリモコンの「決定」ボタンを押下するとサブウィンドウ３０１が開く（図３）。
【０００８】
次にこのサブウィンドウ３０１のメニューから「グループ化」を選択して、そのあと「決定」ボタンを押下する（ステップ８０1）ことにより、一覧画面表示装置は「Ｃ／Ｋ」欄のチェックから集約される候補を選択判断(８０２)し、タイトル入力用ＧＵＩを表示する(ステップ８０３)（図４３参照）。利用者はこのＧＵＩ上でリモコンまたはキーボードから文字入力を行い、好みの集約タイトル名を付与することが可能である(ステップ８０４)。入力しなければ「Ｃ／Ｋ」欄に‘１’をチェックしたタイトルが集約タイトル名に採用される。
【０００９】
この時、一覧画面表示装置はディスク制御装置に対して一覧表示画面上でチェックされた集約候補の映像コンテンツのライブラリ情報への集約タイトル名挿入要求を行う(ステップ８０５)。ライブラリ情報への集約タイトル名挿入が終了する(ステップ８０６)と、一覧表示画面上に再表示する為にディスク制御装置にライブラリ情報の取得要求を行い(ステップ８０７)、ライブラリ情報の取得後(ステップ８０８)、これら３つのコンテンツを一覧表示画面上に１つのタイトルとして表示(ステップ８０９)する。
【００１０】
逆に集約されたタイトルにフォーカスを合わせてリモコンの「決定」ボタンを押下してサブウィンドウを開き、「グループ解除」の項目を選択して「決定」ボタンを押下することにより集約は解除され、個々の記録済映像コンテンツ単位にタイトル名が表示される。
【００１１】
「Ｃ/Ｋ」欄にチェックを付けたタイトル名が既に集約された１件のみの時はサブウィンドウを開いても「グループ化」の項目はグレーアウトしており、選択することは出来ない。複数の集約された映像コンテンツを更に１つに集約することは可能であり、この場合は「Ｃ/Ｋ」欄にチェックを付けた集約タイトル名は複数あり、サブウィンドウを開いて「グループ化」の項目を選択することにより集約することが出来る。
【００１２】
また、既に集約されたコンテンツグループに新規に映像コンテンツを追加する場合も上記と同様に集約されたタイトル名と追加したい映像コンテンツのタイトル名の「Ｃ/Ｋ」欄にチェックを付けサブウィンドウから「グループ化」を選択することにより集約可能である。上記のようにサブウィンドウで「グループ化」を選択し、リモコンの「決定」ボタンが押下された時に一覧画面表示装置はディスク制御装置に対して一覧表示画面上でチェックされた集約候補の映像コンテンツのライブラリ情報への集約タイトル名挿入要求を行う(ステップ８０５)。
【００１３】
ライブラリ情報への集約タイトル名挿入が終了する(ステップ８０６)と、一覧表示画面上に再表示する為にディスク制御装置にライブラリ情報の取得要求を行い(ステップ８０７)、ライブラリ情報の取得後(ステップ８０８)、これら３つのコンテンツを一覧表示画面上に１つのタイトルとして表示(ステップ８０９)する。
【００１４】
逆に集約されたタイトルにフォーカスを合わせてリモコンの「決定」ボタンを押下してサブウィンドウを開き、「グループ解除」の項目を選択して「決定」ボタンを押下することにより集約は解除され、個々の記録済映像コンテンツ単位にタイトル名が表示される。
【００１５】
（実施の形態３）
集約された映像コンテンツにフォーカスを合わせてリモコンの「決定」ボタンを押下してサブウィンドウを開き、「再生」の項目を選択して「決定」ボタンを押下することにより（図５）集約された個々のコンテンツが連続再生される。
【００１６】
（実施の形態４）
集約された映像コンテンツの「ＣＨ」、「日付」、「時刻」は集約タイトル内の最新記録済映像コンテンツの情報が表示され、「録画時間」は集約タイトルに含まれる記録済映像コンテンツの合計録画時間が表示される。なお、集約された個々のタイトル情報はサブウィンドウの「グループ詳細」を選択し（図６）、リモコンの「決定」ボタンを押下することで、サブメニューで確認出来る（図７）。
【００１７】
【発明の効果】
以上のように本願発明の記録コンテンツ集約装置では、記録されている複数のコンテンツのタイトルを自由に集約し、また集約したコンテンツに代表コンテンツ名を付与出来ることで、一覧表上で利用者の嗜好に応じたライブラリ作成が可能にでき、また集約された映像コンテンツを連続して再生出来ることで一覧表での操作性向上を図ることが出来る。
【図面の簡単な説明】
【図１】本発明を実現する為に必要な装置の簡単な構成図
【図２】本発明内容を利用者が操作する一覧表示画面を示す図
【図３】本発明内容を利用者が操作する一覧表示画面を示す図
【図４】本発明内容を利用者が操作する一覧表示画面を示す図
【図５】本発明内容を利用者が操作する一覧表示画面を示す図
【図６】本発明内容を利用者が操作する一覧表示画面を示す図
【図７】本発明内容を利用者が操作する一覧表示画面を示す図
【図８】本発明における、請求項１の実現方法を示すチャート
【図９】本発明の記録済映像コンテンツのタイトル情報等を管理するライブラリ情報のイメージ図
【符号の説明】
８０１  一覧表表示GUIステップ
８０２  選択位置フォーカスステップ
８０３  タイトル入力GUI表示ステップ
８０４  タイトル入力GUIステップ
８０５  ライブラリ情報集約タイトルの挿入要求ステップ
８０６  ライブラリ情報集約タイトルの挿入通知ステップ
８０７  ライブラリ情報取得要求ステップ
８０８  ライブラリ情報取得通知ステップ
８０９  一覧表示画面再表示ステップ
【図１】
0004062986.tif 000002
【図２】
0004062986.tif 000003
【図３】
0004062986.tif 000004
【図４】
0004062986.tif 000005
【図５】
0004062986.tif 000006
【図６】
0004062986.tif 000007
【図７】
0004062986.tif 000008
【図８】
0004062986.tif 000009
【図９】
0004062986.tif 000010